(57)【要約】【課題】軒樋を備える軒先構造を、優れた意匠性で且つ高い支持強度にて実現でき、更には様々な形状の軒樋を適用できる軒先構造を提供する。【解決手段】本発明は、建築物の軒先に軒樋１及び化粧材（２，３）を設けた軒先構造であって、前記化粧材（２，３）は、前記軒樋１の表面側に配される上方化粧材２と、前記軒樋１の裏面側を覆う下方化粧材３とで構成され、前記下方化粧材３、前記上方化粧材２は、それぞれ建築下地（４〜６）に直接或いは間接的に固定されることを特徴とすることを特徴とする。【選択図】図１
2018003291.tif 000002
【特許請求の範囲】
【請求項１】
建築物の軒先に軒樋及び化粧材を設けた軒先構造であって、
前記化粧材は、前記軒樋の表面側に配される上方化粧材と、前記軒樋の裏面側を覆う下方化粧材とで構成され、
前記下方化粧材、前記上方化粧材は、それぞれ建築下地に直接或いは間接的に固定されることを特徴とする軒先構造。
【請求項２】
上方化粧材は、建築物の屋根面から延長線状に延在する略面状に形成される請求項１に記載の軒先構造。
【発明の詳細な説明】
【技術分野】
【０００１】
本発明は、軒樋を備える軒先構造を、優れた意匠性で且つ高い支持強度にて実現でき、更には様々な形状の軒樋を適用できる軒先構造に関する。
【背景技術】
【０００２】
従来、屋根の樋としては、軒先に設ける軒樋が一般的に広く知られている。
例えば特許文献１には、複数の通孔を設けた屋根受け金具７や水切り８を介して軒樋９を取り付けた構造が記載され、特許文献２には、軒樋吊具を介して軒樋４を取り付けた構造が記載され、これらの軒樋９，４としては、丸型や箱形の断面構造が記載されている。
また、特許文献３には、軒樋１の前方を化粧カバー材４で覆う構成が記載され、特許文献４には、樋受面２４を有する軒樋受金物２０の前面側に化粧モール２７を取り付ける構成が記載されている。
【先行技術文献】
【特許文献】
【０００３】
【特許文献１】特開平１１−１７０８４４号公報
【特許文献２】特開２００１−１２５０９７号公報
【特許文献３】特開２００６−２３３５３６号公報
【特許文献４】特開２００３−２３９４７４号公報
【発明の開示】
【発明が解決しようとする課題】
【０００４】
しかしながら、前記特許文献１，２の樋構造は、軒先としての意匠性が乏しく、雨水を受けるためだけの機能のみを採用したものであり、見栄えが悪く、意匠性に乏しいものであった。
また、前記特許文献３，４の樋金具は、前述のように軒樋や軒樋受金物に化粧材を取り付けて軒先を装飾するので、意匠性が改善されるものの、金具の形状や軒樋の形状に制約を受け、汎用性の低いものであった。さらに、これらの構造では、樋吊り金具等が躯体側のみに固定された片持ち状であるため、降雪時等に破損する恐れのあるものであった。また、室内への漏水リスク、構造的に複雑でコスト高になるなどのデメリットもあった。さらに、屋根勾配毎に部材を変更する必要があった。しかも軒樋を化粧材で覆う構造では、メンテナンスが困難となるという欠点もあった。
【０００５】
そこで、本発明は、軒樋を備える軒先構造を、優れた意匠性で且つ高い支持強度にて実現でき、更には様々な形状の軒樋を適用できる軒先構造を提案することを目的とする。
【課題を解決するための手段】
【０００６】
本発明は、上記に鑑み提案されたものであって、建築物の軒先に軒樋及び化粧材を設けた軒先構造であって、前記化粧材は、前記軒樋の表面側に配される上方化粧材と、前記軒樋の裏面側を覆う下方化粧材とで構成され、前記下方化粧材、前記上方化粧材は、それぞれ建築下地に直接或いは間接的に固定されることを特徴とする軒先構造を提案するものである。
【０００７】
また、本発明は、前記軒先構造において、上方化粧材は、建築物の屋根面から延長線状に延在する略面状に形成されることを特徴とする軒先構造をも提案する。
【発明の効果】
【０００８】
本発明の軒先構造は、それぞれ建築下地に直接或いは間接的に固定される上方化粧材と下方化粧材との間に軒樋を配設する構造であるため、優れた意匠性を有し、しかも高い支持強度を有するものであって、更には様々な形状の軒樋を適用できるものである。
【０００９】
また、上方化粧材が建築物の屋根面から延長線状に延在する略面状に形成される場合には、すっきりとしたシャープな意匠性を実現できるものである。
【図面の簡単な説明】
【００１０】
【図１】本発明の軒先構造の第１実施例を示す斜視図であり、内部構造を見せるために一部構成を欠載して示している。
【図２】（ａ）本発明の軒先構造の第１実施例を示す側断面図、（ｂ）用いた押さえ部材を示す斜視図、（ｃ）用いた軒樋構造を示す側断面図である。
【図３】（ａ）第１実施例の化粧材（上方化粧材，下方化粧材）を示す側断面図、（ｂ）用いた軒樋構造を分解して示す側断面図、（ｃ）施工状態において軒樋より棟側に位置する外装構造の側断面図である。
【図４】（ａ）本発明の軒先構造の第２実施例を示す側断面図、（ｂ）用いた軒樋構造を示す側断面図である。
【図５】（ａ）本発明の軒先構造の第３実施例を示す側断面図、（ｂ）用いた軒樋構造を示す側断面図である。
【発明を実施するための形態】
【００１１】
本発明の軒先構造は、建築物の軒先に軒樋及び化粧材を設ける構造であり、用いられる化粧材は、前記軒樋の表面側に配される上方化粧材と、前記軒樋の裏面側を覆う下方化粧材とで構成され、前記上方化粧材、前記下方化粧材は、それぞれ建築下地に直接或いは間接的に固定されることを特徴とする。
なお、「軒樋の表面側に配される」や「軒樋の裏面側を覆う」は、施工状態におけるものであって、特に施工手順を限定するものではなく、可能であれば化粧材の配設完了後に軒樋を施工するようにしてもよい。
【００１２】
本発明に用いられる化粧材は、それぞれ建築下地に直接或いは間接的に固定される上方化粧材、下方化粧材にて構成され、それぞれ具体的には建築部の軒先を構成する「垂木」「野地板」、「鼻隠し」等に直接又は間接的に取り付けられるものである。
【００１３】
また、上方化粧材、下方化粧材は、通し材であっても、ピース材であってもよく、組み合わせであってもよい。
さらに、これらの上方化粧材、下方化粧材は、それぞれ単一部材からなるものでも、複数部材からなるものでもよく、複数部材からなる場合は、同質材であっても異質材であってもよい。また、複数部材の場合、連結状に一体化するものでも被覆状に一体化するものでもよい
【００１４】
例えば後述する図示実施例には、上方化粧材の一部構成をなす上部軒先唐草と下方化粧材の一部構成をなす下部軒先唐草とをヒンジ構造を介して連結した構造を記載したが、この軒先唐草は、化粧材兼下地材として利用可能であり、任意の拡開角度にて配設することが可能であるため、多種多様の軒先構造を構築できるという利点がある。
【００１５】
本発明に用いる軒樋は、基本的には特に制限はなく、前述の上方化粧材と下方化粧材との配設を損なうものでなければどのような構成（材質等）、形状でもよい。
なお、屋根の軒先工事においては、軒樋を担当する業者は、様々な種類の樋材を管理しており、雨水の水廻りを連絡させる目的で、縦樋との連結施工も同時に行う。そのため、軒樋自体に様々な制限があると、屋根全体を施工する業者との余計な軋轢を生じたり、施工時期を調整する必要を生じたりする。
本発明では、前述のように用いる軒樋に基本的に制限がないため、例えば軒樋のみを、或いは軒樋の支持構造を水廻りを担当する業者に任せることも可能である。
このように本発明に用いる軒樋自体やその支持構造については、何ら限定するものではないので、軒樋の配設により前記化粧材に影響を与えることがない。
【００１６】
なお、前述のように軒樋自体の構成については、何ら限定するものではないが、この軒樋を安定に支持するための構造（支持金具）を備えていることが望ましいのは、説明するまでもなく、特には、前述の従来の技術にて指摘したような片持ち状の固定構造でないことが望ましい。
【００１７】
このような構成を有する本発明の軒先構造は、それぞれ建築下地に直接或いは間接的に固定される上方化粧材と下方化粧材との間に軒樋を配設する構造であるため、優れた意匠性を有し、しかも高い支持強度を有するものであって、更には様々な形状の軒樋を適用できる。
【実施例１】
【００１８】
図１〜図３に示す本発明の第１実施例の軒先構造は、建築物の外装構造（６）の軒先に軒樋１及び化粧材（２，３）を設けた構成であって、それぞれ建築下地に直接或いは間接的に固定された上方化粧材２と、下方化粧材３との間に軒樋１を配設する構造である。
【００１９】
前記上方化粧材２は、施工状態において前記軒樋１の表面側に配される部材であって、この第１実施例では、複数の導水孔２１１を備えて落ち葉除けを兼ねる軒先カバー材２Ａと、角度調整を可能とするヒンジ構造を備える上部軒先唐草２Ｂと、を指し、両部材はビス２ｃ（図２（ａ）では一点鎖線、図３（ａ）には明記）にて一体的に固定されている。
【００２０】
前記軒先カバー材２Ａは、図２及び図３に示すように略平坦状の面板部２１の水上側（外装構造側）寄りに複数の導水孔２１１を備え、その水上端２１２を略Ｌ字状に立ち上げ、外装構造の軒端に取り付けられた納め材５ｃにビス固定（ビス２ｅ）している。また、この面板部２１の水下端２１３は、裏面側へ折り返され、上部軒先唐草２Ｂの軒端に形成された延出片２２に係合している。なお、前記導水孔２１１は、孔の形状を問うものではなく、また「水切り」の有無も限定するものではない。
また、上部軒先唐草２Ｂは、軒端に突出状の延出片２２を、裏面側の軒先寄りにヒンジ構造を形成する弧状部２３を、裏面側の中央に下部軒先唐草３Ａに固定した調整ボルト３ｃを通す長孔を備える腕曲部２４を、外装構造側の端部に前記軒先カバー材２Ａを沿わせてビス打ちする傾斜固定部２５を、それぞれ設けている。
【００２１】
前記下方化粧材３は、施工状態において前記軒樋１の裏面側を覆う部材であり、この第１実施例では、前記上部軒先唐草２Ｂとヒンジ構造を介して連結されている下部軒先唐草３Ａと、後述する縦樋９の上端を押さえる押さえ部材４の裏面側に配置される軒天カバー材３Ｂと、を指し、両部材は押さえ部材４を介して一体的に固定されている。
【００２２】
前記下部軒先唐草３Ａは、図２及び図３に示すように軒先側が略平坦状で、建物側が段状に形成されている面板部３１の表面側に、その軒端にヒンジ構造を形成するＣ字状部３１１を、略中央に前記調整ボルト３ｃを立設させるための凹状溝３１２をそれぞれ設け、その建物側の端部に前記押さえ部材４に沿わせて固定する固定部３２（固定ビス３ｄ）が設けられている。
また、軒天カバー材３Ｂは、パンチングメタル板で形成され、前記押さえ部材４の下面に沿わせて配設、固定（固定ビス３ｅ）するものであって、軒先側の端部は前記下部軒先唐草３Ａに沿い、建物側の端部は建物外壁に沿った状態で固定されている。
【００２３】
なお、前述のようにこの第１実施例では、上方化粧材２の一部として用いた上部軒先唐草２Ｂと下方化粧材３の一部として用いた下部軒先唐草３Ａが、ヒンジ構造を介して連結される構成であるから、概略的に略水平状に配設する下部軒先唐草３Ａに対して任意の角度調整が可能であるから、外装構造の屋根面（傾斜勾配）から延長線状に上方化粧材２が延在するように配設することも可能であり、図示するようにすっきりとしたシャープな意匠性を実現できる。
【００２４】
上述のヒンジ構造については、図２には調整ボルトも固定ビスも記載していないが、図３に示すように凹状溝３１２に調整ボルト３ｃが立設され、前記腕曲部２４の長孔に挿通させた状態でナットを締着してもよいし、ヒンジ部に直接的にビス２ｄを打ち込んで固定してもよい。
【００２５】
前記建築物の外装構造（６）は、傾斜勾配が形成されるように組み付けられた躯体５Ａの表面に野地材５Ｂが敷設され、更にその上面に裏面側にバックアップ材６Ｂを配した横葺き外装材６Ａを吊子６ｃにて段状に取り付けた横葺き外装構造である。
前記野地材５Ｂの軒端には、前記納め材５ｃが固定ビス５ｄにて取り付けられ、更に所定間隔で前記吊子６ｃがビス５ｅにて取り付けられている。また、この外装構造（６）の軒端には外壁６Ｄが形成されている。
【００２６】
前記押さえ部材４は、前記外装構造（６）の軒側に位置して前記外壁６Ｄに固定される部材であって、図２（ａ）に示すように外壁６Ｄへの縦片固定部６１（固定ビス４ｄ）を有して前記下方化粧材３を構成する下部軒先唐草３Ａと軒天カバー材３Ｂをビス３ｄ，３ｅにて固定する一方金具４Ａと、前記上方化粧材２の上部軒先唐草２Ｂを固定する傾斜片固定部６２（固定ビス４ｅ）を有する他方金具４Ｂとからなる。
これらの一方金具４Ａと他方金具４Ｂとは、図２（ｂ）に示すように二組の連結ボルト４ｃにて一体的に固定されるので、形成される押さえ部材４は外壁６Ｄに一体的に固定されるものである。そして、前記上方化粧材２も下方化粧材３もこの押さえ部材４（４Ａ，４Ｂ）に固定されるので、この第１実施例の化粧材（２，３）は、押さえ部材４を介して建築下地（外壁４Ｄ）に固定されたものとなる。
【００２７】
軒樋１は、略半円弧状の排水部１１を有する連続状の横樋であって、該軒樋１は、図２（ｃ）及び図３（ｂ）に示すように外壁６Ｄに固定されるピース状の受け金具１Ｂにて受支されると共に鉛直方向に配される縦樋９の上端に連結する連結管１９を備えているので、受け止めた雨水等を円滑に縦樋９へ流すことができる。
【００２８】
前記軒樋１は、前記排水部１１の左右の上端縁１１１を略円管状に成形した金属製又はプラスチック製の長尺材であり、長さの途中に図示しない導通孔（＝連絡管１９と連通する）が形成されている。
また、前記受け金具１Ｂは、前記押さえ部材４と共に外壁６Ｄに固定されるピース材であって、前記軒樋１の排水部１１を受支する略半円弧状の受部１２と、下方に延在して横ビスを打ち込む固定部１３と、前記受部１２の外壁６Ｄ側の上端には略つ字状の保持片１４と、その逆側の上端から上方へ突出する規制片１５とを備える構成である。
なお、図３（ｂ）に示す連結具１Ｃは、縦樋９の上端に連結する連結管１９と、前記受け具１Ｂの受部１４と同様に前記軒樋１の排水部１１を受支する略半円弧状の受部１７とを備え、該受部１７の左右の上端縁１８を横円管状に成形した構成である。
そのため、この第１実施例における前記軒樋１は、前記受け具１Ｂや前記連結具１Ｃの受部１４，１７に受支される状態で保持され、その左右の上端縁１１１も保持片１４などで安定に保持されている。
【００２９】
なお、前記軒樋１に代えて、任意の軒樋を用いることができ、その選択した軒樋の大きさや形状に応じて適宜に前記受け金具１Ｂに代わる受支機構を採用すればよい。
即ち前記第１実施例の軒樋１や受け金具１Ｂを用いなくても、縦樋９の上端に軒樋の配設スペース及び作業スペースを確保しておけば、軒樋を担当する業者にその作業を任すことができる。
【００３０】
このように本発明の第１実施例の軒先構造は、それぞれ建築下地に直接或いは間接的に固定される上方化粧材２と下方化粧材３との間に軒樋１を配設する構造であるため、優れた意匠性を有し、しかも高い支持強度を有するものであって、更には様々な形状の軒樋１を適用できるものである。
また、この軒先構造は、上方化粧材２も下方化粧材３も生ずる荷重は、固定された建築下地に負担させることができるため、軒樋１に不要な荷重耐性を求めることがない。
【００３１】
図４に示す第２実施例の軒先構造は、軒先カバー材２Ａ'の面板部２１'の寸法が前記第１実施例のように軒樋１の上方を覆うように臨んでないものであって、その水上端２１４が軒樋１に向かって折り下げられたものである。なお、それ以外の化粧材、即ち上部軒先唐草２Ｂ、下部軒先唐草３Ａ、軒天カバー材３Ｂについては前記第１実施例と殆ど同様であるから、図面に同一符号を付して説明を省略する。
また、この第２実施例では、当該軒先構造の棟側に形成される外装構造（６）についても、前記第１実施例と殆ど同様とし、図面に同一符号を付して説明を省略する。
さらに、この第２実施例における押さえ部材４'も、前記第１実施例における押さえ部材４と同様に前記外壁６Ｄへの縦片固定部６１（固定ビス４ｄ）を有し、下部軒先唐草３Ａや軒天カバー材３Ｂをビス３ｄ，３ｅにて固定できる。
【００３２】
この第２実施例では、前記押さえ部材４'とは別体の部材である略コ字状の支持部材７を用いている。この支持部材７は、上片７１が前記上部軒先唐草２Ｂの傾斜固定部２５に下面側に沿い、下片７２が前記下部軒先唐草３Ａの面板部３１の外壁６Ｄ側の端部に嵌合状に配置される。
したがって、この第２実施例も前記第１実施例と同様に、軒先構造を構成する上方化粧材２'と下方化粧材３は、前記押さえ部材４'や前記支持部材７等を介して建築下地に直接或いは間接的に固定されるため、軒樋１に不要な荷重耐性を求めることがない。
【００３３】
この第２実施例の軒樋構造は、図４（ｂ）に示すように略半円弧状の排水部１１を有する連続状の軒樋１と、前記第１実施例における連結具１Ｃとのみで構成され、前記第１実施例とは受け金具１Ｂを用いるか否かで異なる。
即ちこの第２実施例では、例えばプラスチック製の軒樋１を用いた場合などのように縦樋９に対して大きな荷重がかからないことが想定される場合に好適であり、簡易な構造であるため、施工性に優れている。
【００３４】
図５に示す第５実施例の軒先構造は、上方化粧材２"については、落ち葉除けを兼ねる軒先カバー材２Ａ"の面板部２１"に形成された通孔２１１が多段である以外は殆ど前記第１実施例と同様であり、その上部軒先唐草２Ｂについても図面に同一符号を付して説明を省略する。なお、これらの両部材２Ａ"，２Ｂは、面板部２１"の水下端２１３を延出片２２に係合させている点でも同様であるが、ヒス固定をしていない点で相違する。
また、下方化粧材３については、下部軒先唐草３Ａも軒天カバー材３Ｂも全く前記第１実施例と同様であり、両部材を別部材（８）を介して固定する点でも同様であるから、図面に同一符号を付して説明を省略する。
【００３５】
なお、前記第１実施例では、外壁６Ｄに前記押さえ部材４を固定して該押さえ部材を介して下方化粧材３を一体化したが、この第３実施例では、二部材から構成される支持部材８を外壁６Ｄに固定し、該支持部材８を介して前記下方化粧材３（３Ａ，３Ｂ）、化粧材（２"，３）を一体化する構成である。
この支持部材８は、外壁６Ｄに固定（固定ビス８ｄ）される下方部材８Ａと、略平坦状の支持面部８５の左右端（８６，８７）が傾斜状に立ち上がる上方部材８Ｂとから成る。
【００３６】
前記下方部材８Ａは、図５（ｂ）の下段に示すように略水平状の上片部８１と下片部８２と、略鉛直状の縦片部８４と、傾斜片部８３とを備えるピース材である。前記縦片部８４には、３本の固定ビス８ｄが打ち込まれて外壁６Ｄに固定される。
前記上方部材８Ｂは、同図の中段に示すように略中央に位置する略水平状の支持面部８５と、その軒先側に傾斜状に立ち上がって傾斜状に下る軒先側固定部８６と、前記支持面部８５の外壁６Ｄ側に傾斜状に立ち上がって上端を内側へ折り曲げた外壁側固定部８７と、を備えるピース材であって、前記支持面部８５の前後端から下方へ延在する取付片８８，８８が設けられている。
【００３７】
そして、前記上方部材８Ｂの取付片８８，８８を前記下方部材８Ａの上片部８１に跨がるように配すると共に外壁側固定部８７を傾斜片部８３に沿わせた状態で固定具８ｃ，８ｃを取り付けて支持部材８を外壁６Ｄに一体的に固定することができる。また、前記上方部材８Ｂの軒先側固定部８６は、前記上部軒先唐草２Ｂの傾斜固定部２５に沿わせてビス８ｅにて固定している。したがって、この第３実施例においても上方化粧材２"と下方化粧材３は、それぞれ建築下地に直接或いは間接的に固定される構成であるため、高い支持強度を有するものである。
【００３８】
この第３実施例の軒樋構造は、図５（ｂ）の上段に示すよう排水部１１"の略中央が平坦状の幅広な軒樋１"にて形成され、該軒樋１"の排水部１１"の軒先側を傾斜状に立ち上げて傾斜状に下る軒先側端縁１１２とし、その外壁６Ｄ側を傾斜状に立ち上げた外壁側端縁１１３とした。
この軒樋１"は、前記支持部材８（の上方部材８Ｂ）の支持面部８５に受支されるように配設し、軒先側端縁１１２を、前記上方部材８Ｂの軒先側固定部８６と前記上部軒先唐草２Ｂの傾斜固定部２５との重合部分の上方に沿わせ、外壁側端縁１１３を、前記上方部材８Ｂの外壁側固定部８７に沿わせた状態で固定具１ｄを取り付けて固定した。
【００３９】
この第３実施例の軒先構造は、前記第１，第２実施例のように押さえ部材４，４'を用いていないが、建築下地（外壁６Ｄ）に直接固定される支持部材８を介して間接的に化粧材２"，３を固定したものであって、軒樋１"自体には不要な荷重耐性を求めることがないので、様々な形状の軒樋を適用できる。
【符号の説明】
【００４０】
１  軒樋
２  上方化粧材
２Ａ  軒先カバー材
２Ｂ  上部軒先唐草
３  下方化粧材
３Ａ  下部軒先唐草
３Ｂ  軒天カバー材
４  押さえ部材
５Ａ  躯体
５Ｂ  野地材
６Ａ  横葺き外装材
６Ｄ  外壁
９  縦樋
【図１】
2018003291.tif 000003
【図２】
2018003291.tif 000004
【図３】
2018003291.tif 000005
【図４】
2018003291.tif 000006
【図５】
2018003291.tif 000007